(57)【特許請求の範囲】
【請求項１】
無線アクセスネットワークを備えるセルラーテレコミュニケーションネットワークにおいて移動ステーションに対し一時的移動ステーション識別子を割り当てる方法であって、移動ステーションは、少なくとも次の状態、即ち移動ステーションがページングチャンネル(PCH)を聴取する第１状態、移動ステーションが順方向アクセスチャンネル(FACH)を監視する第２状態、及び専用搬送チャンネル(DCH)が移動ステーションに割り当てられる第３状態を有し、上記方法は、
−  上記ネットワークが、移動ステーションに対して第２状態への状態変化が必要とされるかどうかチェックし、
−  上記第２状態への状態変化が必要とされると上記ネットワークが決定する場合に、制御無線ネットワークコントローラが上記移動ステーションに対し上記無線アクセスネットワークの1つのセル内において独特な一時的移動ステーション識別子を割り当て(110,230,310,410)、そして
−  上記一時的移動ステーション識別子が上記移動ステーションに指示される(130,260,350)という段階を含むことを特徴とする方法。
【請求項２】
上記方法は、更に、
−  制御無線ネットワークコントローラが、移動ステーションに対するページング要求をサービス無線ネットワークコントローラから受信するのに応答して、移動ステーションに対する上記一時的移動ステーション識別子を割り当て(110)、そして
−  上記制御無線ネットワークコントローラが、上記割り当てられた識別子を、移動ステーションに送信されるページング要求にパラメータとしてアタッチすることにより、上記割り当てられた識別子を移動ステーションに指示する(120,130)という段階を含む請求項１に記載の方法。
【請求項３】
移動ステーションがページング要求に応答しない場合には、上記制御無線ネットワークコントローラが上記一時的識別子を解除する(140)請求項２に記載の方法。
【請求項４】
上記方法は、更に、
−  制御無線ネットワークコントローラが、移動ステーションからページング要求応答を受信するのに応答して、移動ステーションに対する上記一時的移動ステーション識別子を割り当て、そして
−  上記制御無線ネットワークコントローラが、個別のメッセージを使用して移動ステーションに上記割り当てられた識別子を指示する、
という段階を含む請求項１に記載の方法。
【請求項５】
上記チェック段階において、第３状態(DCH)から第２状態(CCH)への状態変化が必要であると分かった場合に、上記割り当てられた識別子が、第３状態(DCH)から第２状態(CCH)への状態変化をトリガーするメッセージと共に移動ステーションに指示される請求項１に記載の方法。
【請求項６】
上記一時的移動ステーション識別子は、２つの無線ネットワークコントローラ間のシグナリングにおいて移動ステーションを識別するために使用される請求項１に記載の方法。
【請求項７】
２つの無線ネットワークコントローラ間のシグナリングにおいて移動ステーションを識別するために、専用の一時的移動ステーション識別子が使用される請求項１に記載の方法。
【発明の詳細な説明】
【０００１】
【技術分野】
本発明は、セルラーテレコミュニケーションシステム、特に、ＵＭＴＳシステムのようないわゆる第３世代のセルラーシステムにおけるシグナリング方法に係る。より詳細には、本発明は、独立請求項１の前文に記載した方法に係る。
【０００２】
【背景技術】
本明細書で使用する幾つかの省略形を以下に示す。
ＣＣＣＨ      共通制御チャンネル
ＤＣＣＨ      専用制御チャンネル
ＤＲＮＣ      ドリフト無線ネットワークコントローラ
ＤＴＣＨ      専用トラフィックチャンネル
ＦＡＣＨ      順方向リンクアクセスチャンネル
ＩＭＳＩ      国際移動加入者認識
ＰＣＣＨ      ページング制御チャンネル
ＰＣＨ        ページングチャンネル
ＰＬＭＮ      公衆地上移動ネットワーク
Ｐ−ＴＭＳＩ  パケット一時的移動加入者認識
ＲＡＣＨ      ランダムアクセスチャンネル
ＲＮＣ        無線ネットワークコントローラ
ＲＮＳＡＰ    無線ネットワークシステムアプリケーションパート
ＲＮＴＩ      無線ネットワーク一時的認識
ＲＲＣ        無線リソース制御
ＴＦＣＳ      搬送フォーマット組合せセット
ＴＦＳ        搬送フォーマットセット
ＴＭＳＩ      一時的移動加入者認識
ＵＥ          ユーザ装置
ＵＭＴＳ      ユニバーサル移動テレコミュニケーションシステム
ＵＴＲＡＮ    ＵＭＴＳ地上無線アクセスネットワーク
【０００３】
本書で使用する一般的な用語を明確にするために、あるセルラーテレコミュニケーションシステム構成の概要を以下に説明する。
第３世代システムについての提案は、ＵＭＴＳ（ユニバーサル移動テレコミュニケーションシステム）及びＦＰＬＭＴＳ／ＩＭＴ−２０００（未来型公衆地上移動テレコミュニケーションシステム／２０００ＭＨｚの国際移動テレコミュニケーション）を含む。これらのプランにおいて、セルは、そのサイズ及び特性に基づいて、ピコセル、ナノセル、マイクロセル及びマクロセルに分類され、そしてサービスレベルは、例えば、ビットレートである。ビットレートは、ピコセルにおいて最も高く、マクロセルにおいて最も低い。セルは、部分的に重畳してもよいし又は完全に重畳してもよく、そして全てのターミナルが、セルにより提供される全てのサービスレベルを必ずしも利用できなくてもよいように、異なるターミナルが存在してもよい。
【０００４】
図１は、第３世代セルラーネットワークの考えられる構造を示す例示的ブロック図である。このようなネットワークは、通常、１つ以上の無線アクセスネットワーク４０（ＲＡＮ）に接続されたコアネットワーク５０を備えている。このような無線アクセスネットワークは、しばしばＵＴＲＡＮネットワーク（ＵＭＴＳ地上無線アクセスネットワーク）と称される。無線アクセスネットワークは、通常、移動ステーション１０ａ、１０ｂへの無線接続を実施するための少なくとも複数のベースステーション２０ａ、２０ｂ、２０ｃ（ＢＳ）と、これらのベースステーションを制御するための少なくとも１つの無線ネットワークコントローラ３０（ＲＮＣ）とを備えている。無線ネットワークコントローラは、コアネットワークの移動交換センター（ＭＳＣ）６０に接続される。
【０００５】
１つの移動ステーションの接続に２つ以上のＲＮＣが含まれることがある。このような状態は、例えば、ハンドオーバーから生じる。例えば、移動ステーション１０ａが、ベースステーション２０ａのセルにある間に接続を開始し、従って、接続が最初にＲＮＣ３０ａの制御下にあると仮定する。その後、ＭＳ１０ａがＢＳ２０ｂのセルへ移動し、従って、ネットワークは、接続又は少なくとも幾つかの接続がＢＳ２０ｂへ移行するハンドオーバーを実行する。このような場合、接続は、ＭＳＣ６０からＲＮＣ３０ａを経てＲＮＣ３０ｂへ至り、そして最終的にＢＳ２０ｂへ至る。２つのＲＮＣは、若干異なる責務を有する。最初のＲＮＣは、サービスＲＮＣ（ＳＲＮＣ）と称され、そして第２のＲＮＣは、制御ＲＮＣ（ＣＲＮＣ）と称される。第２のＲＮＣは、ドリフトＲＮＣ（ＤＲＮＣ）とも称される。マルチダイバーシティ接続、即ち多数のベースステーションを通る多数の同時接続の協働により単一の無線接続が実行される接続の場合には、２つ以上の制御ＲＮＣがあって、その各々がマルチダイバーシティ接続の１つ以上のサブ接続を制御する。ＳＲＮＣの責務は、セルラーネットワーク内の接続を最適化するために別のＲＮＣへ移行することができる。このようなプロセスをサービスＲＮＣリロケーションと称する。
【０００６】
更に、第３世代セルラーシステムのための現在の仕様では、２つのＲＮＣ間のインターフェイスをＩｕｒインターフェイスと称し、そしてＭＳＣとＲＮＣとの間のインターフェイスをＩｕインターフェイスと称する。本明細書ではこれらのインターフェイス名を使用する。
ＵＭＴＳの用語で典型的にユーザ装置（ＵＥ）と命名される移動ステーションは、当然、ＵＴＲＡＮ内で何らかの方法で識別されねばならない。無線ネットワーク一時的識別子（ＲＮＴＩ）と称する一時的識別子が、ＵＴＲＡＮ内及びＵＥとＵＴＲＡＮとの間のシグナリングメッセージにおいてＵＥ識別子として使用される。ＲＮＴＩ識別子は、ＲＮＣにより使用されそして定義される。ＵＥとＵＴＲＡＮとの間のシグナリングメッセージには、２つの形式のＲＮＴＩが使用される。その一方は、ＳＲＮＣ内に使用されそしてそれにより割り当てられ、サービスＲＮＣ  ＲＮＴＩ（ｓ−ＲＮＴＩ）と称される。他方の形式は、適宜に、ＣＲＮＣ内に使用されそしてそれにより割り当てられ、制御ＲＮＣ  ＲＮＴＩ（ｃ−ＲＮＴＩ）と称される。ｃ−ＲＮＴＩは、しばしば「セルＲＮＴＩ」とも称される。
【０００７】
ｓ−ＲＮＴＩは、ＲＲＣ接続を有する全てのＵＥに対して割り当てられ、サービスＲＮＣによって割り当てられ、そしてサービスＲＮＣ内で独特である。ｓ−ＲＮＴＩは、ＲＲＣ接続に対するサービスＲＮＣが変更されるときに常に再割り当てされる。更に、各ＲＮＣは、ＲＮＣ識別子（ＲＮＣ−ＩＤ）と称する識別子を有する。ＲＮＣ−ＩＤとｓ−ＲＮＴＩとで、ＵＴＲＡＮ内に独特のＵＥ識別子を形成する。この独特のＵＥ識別子に対して、ＵＴＲＡＮ−ＲＮＴＩ（Ｕ−ＲＮＴＩ）という語が使用される。ｃ−ＲＮＴＩは、ＵＥに対し各ＣＲＮＣにより割り当てられ、これにより、ＵＥは、ＤＣＣＨチャンネルを経て通信することができる。ｃ−ＲＮＴＩは、割り当てＣＲＮＣ内で独特である。３ＧＰＰ仕様におけるシグナリング手順は、１つのセル内でもｃ−ＲＮＴＩを独特なものとすることができる。ｃ−ＲＮＴＩは、ＣＲＮＣにおいて新たなＵＥコンテキストが形成されるときに常に割り当てられる。
【０００８】
データ転送に使用される通信チャンネルは、２つの分類、即ち共通搬送チャンネル及び専用搬送チャンネルにグループ分けされる。
ＵＥ識別がＲＮＴＩを使用することにより実行される共通搬送チャンネルは、現在の仕様では、とりわけ、次のチャンネルを含む。
−ランダムアクセスチャンネル（ＲＡＣＨ）。これは、比較的少量のデータ、例えば、初期アクセス又は非リアルタイム専用制御のためのシグナリング、或いはトラフィックデータを送信するのに使用される。
−順方向アクセスチャンネル（ＦＡＣＨ）。これは、閉ループ電力制御を伴わないダウンリンクチャンネルであり、比較的少量のデータ、例えば、初期アクセス又は非リアルタイム専用制御のためのシグナリング（応答）、或いはトラフィックデータを送信するのに使用される。
−ページングチャンネル（ＰＣＨ）。これは、ページングのような制御情報や通知情報を全セルにブロードキャストするのに使用されるダウンリンクチャンネルである。
【０００９】
現在の仕様では、専用搬送チャンネル形式は、とりわけ、次のチャンネル形式を含む。
−専用チャンネル（ＤＣＨ）。これは、１つのＵＥ専用のチャンネルであり、アップリンク又はダウンリンクのデータ送信に使用することができる。
各搬送チャンネルは、それに関連した搬送フォーマット又はそれに関連した搬送フォーマットセットを有する。搬送フォーマットとは、エンコード、インターリーブ、ビットレート及び物理的チャンネルへのマッピングといった種々の搬送パラメータの組合せである。搬送フォーマットセットとは、１組の搬送フォーマットである。例えば、可変レートのＤＣＨチャンネルは、搬送フォーマットセット、即ち各使用可能な送信レートに対して１つの搬送フォーマットを有し、一方、固定レートのＤＣＨは、１つの搬送フォーマットを有する。
【００１０】
第３世代のＵＥは、ネットワークに関連して多数の異なる状態を取り得る。接続が存在しない場合には、ＵＥはアイドルモードにある。少なくとも１つのシグナリング接続が存在するときには、ＵＥは接続モードとなる。接続モードは、２つの主たる状態、即ちＵＲＡ接続状態及びセル接続状態を有する。ＵＲＡ接続状態は、ページングチャンネル（ＰＣＨ）のみを経てＵＥに到達し得ることを表わすためにＵＲＡ＿ＰＣＨ状態とも称される。ＵＲＡ接続状態では、ＵＥの位置がＵＲＡ（ＵＭＴＳ登録エリア）レベルで分かる。ＵＲＡは、ある地理的エリア内の複数のセルで構成される。セル接続状態では、ＵＥの位置がセルレベル又はアクティブなセットレベルで分かる。全てのデータ送信は、セル接続状態で行われる。
セル接続状態は、更に、多数のサブ状態に分割される。各状態は、ある通信チャンネル及び他のパラメータに関連される。それ故、異なる状態は、通常、その状態に使用する通信チャンネルによって表わされる。更に、種々の通信チャンネルは、異なる特性を有する。状態及びそれに対応する搬送フォーマット及びチャンネル形式のこのような集合が、ＵＥに対して与えることのできる異なるＱｏＳレベルを形成する。
【００１１】
現在の仕様では、セル接続状態は、少なくとも次のようなサブ状態のグループを有する。
−ＤＣＨ／ＤＣＨ及びＤＣＨ／ＤＣＨ＋ＤＳＣＨサブ状態（両方を単にＣＥＬＬ＿ＤＣＨサブ状態と称することもある）においては、専用の搬送チャンネルがＵＥに割り当てられる。これらの状態では、ＵＥは、現在そのＵＥに許されたピーク容量までデータを送信することができる。
−ＲＡＣＨ／ＦＡＣＨサブ状態（ＣＥＬＬ＿ＦＡＣＨサブ状態とも称される）においては、ＵＥがＦＡＣＨチャンネルを監視する。これは、アップリンク制御信号を送信し、そして小さなデータパケットをＲＡＣＨチャンネルに送信することができる。その結果、この状態は、高い送信容量を必要としないＵＥにより使用される。
−ＰＣＨサブ状態（ＣＥＬＬ＿ＰＣＨサブ状態とも称される）においては、ＵＥがＰＣＨ搬送チャンネルを聴取する。ネットワークは、既知のセルにおいてＰＣＣＨ論理チャンネルを経てページング要求を行い、ダウンリンクアクティビティを開始する必要がある。アップリンクアクティビティについてはＵＥは、ＲＡＣＨ／ＦＡＣＨサブ状態へと移行する。
【００１２】
ＵＥは、次のＲＲＣ手順の結果として、例えば、ＤＣＨからＲＡＣＨ／ＦＡＣＨ状態へと移行する。
−搬送チャンネル再構成。この場合、搬送チャンネルは、例えば、ＮＲＴベアラに対して専用チャンネルから共通チャンネルへと切り換えられる。
−無線ベアラ（ＲＢ）解除。この場合、少なくとも１つのベアラが解除され、そして最後の残りの１つは、非リアルタイム（ＮＲＴ）ベアラであり、これは、現在アクティブでないか、又は共通チャンネルを使用するように構成される。
−物理的チャンネル構成。この手順は、ＵＥにより使用される１組の物理的チャンネルを指定、置き換え又は解除する。物理的チャンネル再構成手順は、使用する搬送チャンネル形式及びＲＲＣ状態を変更してもよい。
−無線ベアラ（ＲＢ）再構成。この場合、無線ベアラ又はシグナリングリンク（シグナリング無線ベアラＳＲＢとも称される）に対するパラメータが、必要なＱｏＳレベルの変化を表わすように再構成される。ＲＢ再構成手順は、例えば、ＲＬＣパラメータを変更し、ＤＴＣＨ／ＤＣＣＨに対する又は同じＤＣＨにマップされたＤＴＣＨ間でのマルチプレクスプライオリティを変更し、ＤＣＨスケジューリングプライオリティを変更し、ＤＣＨに対するＴＦＳを変更し、ＴＦＣＳを変更し、物理的チャンネル（１つ又は複数）を指定又は解除し、そして使用する搬送チャンネル形式を変更することを含む。
【００１３】
４つの上記手順の場合における公知のシグナリングは同様であり、即ちそれらは、サービスＲＮＣがＸＸＸメッセージをＵＥに送信することによりスタートされ、ＵＥは、ＸＸＸ完了メッセージで応答する。ここで、ＸＸＸは、特定の当該手順を指す。
ＵＥは、ＲＡＣＨ／ＦＡＣＨ状態にあるときにそのｃ−ＲＮＴＩのみに気付き、一方、ｃ−ＲＮＴＩは、全てのＵＥ状態においてＵＴＲＡＮ内のＵＥ識別子として使用される。このメカニズムを更に改善することにより、ＵＴＲＡＮは、ＵＴＲＡＮ内のＵＥに対する個別の識別子、即ちドリフトＲＮＴＩ（ｄ−ＲＮＴＩ）をｃ−ＲＮＴＩに代わって使用することができる。ｄ−ＲＮＴＩは、ｃ−ＲＮＴＩと同様に、全てのＵＥ状態において制御ＲＮＣにより割り当てられ、そして必要なときに、ＳＲＮＣからＣＲＮＣへ送られるメッセージにおいてＵＥを識別するのに使用される。
【００１４】
ｓ−ＲＮＴＩは、ＲＮＣ−ＩＤと共に、ほぼ全てのＣＣＣＨメッセージ、及びエアインターフェイスにＵＴＲＡＮで発生されたＰＣＣＨメッセージにおいて、ＵＥ識別子として使用される。唯一の例外は、ランダム番号、又はＩＭＳＩ、ＴＭＳＩ又はＰ−ＴＭＳＩのような幾つかの既存のＵＥコアネットワーク識別子が使用されるＣＣＣＨ上の初期ＲＡＣＨメッセージである。というのは、このときには、ｓ−ＲＮＴＩが割り当てられないからである。ＲＮＣ−ＩＤは、受信したアップリンクメッセージをサービスＲＮＣに向けてルート指定するために制御ＲＮＣにより使用される。
ｃ−ＲＮＴＩは、エアインターフェイス上のＤＣＣＨ／ＤＴＣＨ共通チャンネルメッセージにおいてＵＥ識別子として使用される。エアインターフェイスにおいてｓ−ＲＮＴＩ及びＲＮＣ−ＩＤの組合せに代わってＣ−ＲＮＴＩを使用する主たる利点は、共通チャンネルメッセージを短縮し、従って、共通無線チャンネルの容量を節約することである。
【００１５】
第３世代セルラーシステムに対する現在の仕様に伴う問題は、次のような状況においてＵＥに対するｃ−ＲＮＴＩのシグナリングである。
−ＲＡＣＨ／ＰＣＨ状態にあるＵＥが、これをＲＡＣＨ／ＦＡＣＨ状態に移行するようにページングされるとき。
−ＵＥがＤＣＨ状態からＲＡＣＨ／ＦＡＣＨ状態へ移行されるとき。
−ＵＥが、ＳＲＮＣとは異なるＣＲＮＣを使用して、ＣＣＣＨ手順（例えば、セル更新）をスタートするとき。
これらの問題に対する既知の解決策は、パケットページングの後又はＤＣＨ−ＣＣＨ移行の後にセル更新手順を使用して、新たなｃ−ＲＮＴＩを得ることである。しかしながら、この解決策は、ＲＡＣＨ／ＦＡＣＨチャンネルに著しいシグナリンを生じる。ＲＡＣＨ／ＦＡＣＨチャンネルの容量には限度があり、これらチャンネルにおけるシグナリングを最小限にもっていかねばならない。それ故、良い解決策が要望される。
【００１６】
【発明の開示】
本発明の目的は、公知技術の問題を軽減する方法を実現することである。本発明の別の目的は、公知解決策に比してシグナリングを減少する方法を実現することである。
これらの目的は、移動ステーションが順方向アクセスチャンネルを監視する状態への状態変化が移動ステーションにとって必要とされるかどうかをネットワークがチェックし、制御無線ネットワークコントローラが移動ステーションに対する一時的移動ステーション識別子を割り当て、そして上記一時的移動ステーション識別子が上記移動ステーションに指示されるという方法を実現することにより達成される。好ましくは、上記指示は、移動ステーションが識別子を必要とする状態に移動ステーションを変化させるメッセージに識別子をアタッチすることにより行われる。
本発明による方法は、方法の独立請求項の特徴部分に記載したことを特徴とする。従属請求項は、本発明の更に別の効果的な実施形態を説明する。
【００１７】
【発明を実施するための最良の形態】
以下、同様の部分が同じ参照番号で示された添付図面を参照して本発明を詳細に説明する。
図２は、本発明の効果的な実施形態によるシグナリングを示す。図２は、ＵＥ１０と、ベースステーションＮＯＤＥ  Ｂ２０’と、ＣＲＮＣ３０ｂと、ＳＲＮＣ３０ａとの間のシグナリングを示す。第３世代セルラーシステムの現在の仕様では、ベースステーションが論理的ネットワーク要素Ｎｏｄｅ  Ｂで表わされ、このため、本明細書では、ＮＯＤＥ  Ｂで表示する。この実施形態は、ＵＥをページングしてそれをＲＡＣＨ／ＰＣＨ状態からＲＡＣＨ／ＦＡＣＨ状態へ移行する場合にＵＥにｃ−ＲＮＴＩの情報を供給するための解決策を与える。
第１ステップ１００において、ＳＲＮＣは、「パケットページング要求（ＰＰＲ）」メッセージをＣＲＮＣに送信し、ｓ−ＲＮＴＩ及びＳＲＮＣ−ＩＤ識別子をパラメータとしてメッセージにアタッチする。メッセージを受信した後に、ＣＲＮＣは、ステップ１１０において、ＵＥに対するｃ−ＲＮＴＩ識別子を割り当て、そして「ページング」メッセージをＮＯＤＥ  Ｂ２０’に送信し、ＳＲＮＣ−ＩＤ、ｓ−ＲＮＴＩ及びｃ−ＲＮＴＩ識別子をパラメータとしてメッセージにアタッチする。物理的ページングチャンネルのスケジューリングを制御するＮＯＤＥ  Ｂは、ステップ１３０において、ページングメッセージを更にＵＥへ送信する。ＵＥが何らかの理由で応答しない場合には、ＣＲＮＣは、ステップ１４０において、ｃ−ＲＮＴＩを解除する。しかしながら、この例では、ＵＥは、「ページング」メッセージを受信することができ、そしてステップ１５０において、「ページング応答」メッセージを送信することにより応答し、ｃ−ＲＮＴＩをパラメータとしてメッセージにアタッチする。ＣＲＮＣは、ステップ１６０において、Ｉｕｒインターフェイスシグナリングプロトコルの「ページング応答」メッセージ（又はこの情報を保持する一般的な「アップリンクシグナリング転送指示」メッセージ）をＳＲＮＣへ送信し、ｃ−ＲＮＴＩをメッセージにアタッチして、ＳＲＮＣに、割り当てられたｃ−ＲＮＴＩについて通知する。
【００１８】
図３は、本発明の別の効果的な実施形態によるシグナリングを示す。図３は、ＵＥ１０と、ＣＲＮＣ３０ｂと、ＳＲＮＣ３０ａとの間のシグナリングを示す。明瞭化のために、ＮＯＤＥ  Ｂネットワークエンティティは、図３には示されていない。この実施形態は、ＵＥをページングしてそれをＲＡＣＨ／ＰＣＨ状態からＲＡＣＨ／ＦＡＣＨ状態へ移行する場合にＵＥにｃ−ＲＮＴＩの情報を供給するための解決策を与える。この実施形態では、ｃ−ＲＮＴＩは、ＵＥがページングに応答した後にのみ割り当てられ、そしてｃ−ＲＮＴＩは、個別のメッセージにおいてＵＥに通知される。
第１ステップ２００において、ＳＲＮＣは、「パケットページング要求」（又は単に「ページング要求」）メッセージをＣＲＮＣへ送信し、ｓ−ＲＮＴＩ及びＳＲＮＣ−ＩＤ識別子をパラメータとしてメッセージにアタッチする。このメッセージを受信した後に、ＣＮＲＣは、「ページング」メッセージをＵＥに送信し、ＳＲＮＣ−ＩＤ及びｓ−ＲＮＴＩ識別子をパラメータとしてメッセージにアタッチする。ＵＥは、ステップ２２０において、「ページング応答」メッセージを送信することにより応答する。このメッセージを受信した後に、ＣＲＮＣは、ステップ２３０において、ＵＥに対するｃ−ＲＮＴＩ識別子を割り当てる。このステップの後に、ＣＲＮＣは、ステップ２４０において、Ｉｕｒインターフェイスシグナリングプロトコルの「ページング応答」コマンド（又は一般的な「アップリンクシグナリング転送指示」）をＳＲＮＣに送信し、ｃ−ＲＮＴＩをコマンドにアタッチして、ＳＲＮＣに、割り当てられたｃ−ＲＮＴＩについて通知する。最終的に、ＳＲＮＣは、ステップ２５０において、例えば、「ＣＣＣＨ応答」（「ダウンリンクシグナリング転送要求」とも称される）メッセージをＣＲＮＣに送信して、ｃ−ＲＮＴＩを指示するためのメッセージをＵＥに送信するようＣＲＮＣに命令することにより、ＵＥに、割り当てられたｃ−ＲＮＴＩについて通知する。「ＣＣＣＨ応答」メッセージを受信した後に、ＣＲＮＣは、「割り当てＲＮＴＩ」メッセージをＵＥに送信し、ｃ−ＲＮＴＩをパラメータとしてメッセージにアタッチする。「割り当てＲＮＴＩ」メッセージに代わって、ＣＲＮＣは、同じ目的で他のメッセージを使用することもでき、例えば、接続モードにおいてＵＥに通常送信される「ＳＹＳＴＥＭ＿ＩＮＦＯＲＭＡＴＩＯＮ」メッセージの１つを使用することができる。
【００１９】
本発明の別の実施形態では、ｃ−ＲＮＴＩを含むメッセージが、Ｉｕｒインターフェイスにおいて通常のメッセージ転送メカニズムを使用してＳＲＮＣからＵＥへ直接送信される。このような実施形態では、ＣＲＮＣは、ＳＲＮＣから受信されたメッセージのみを転送する。この実施形態は、ＣＲＮＣがＵＥに対して専用プロトコルエンティティを含まない場合、即ちＣＲＮＣが１つのＵＥに向けられた専用メッセージをエンコードできないときに効果的である。
本発明の更に別の効果的な実施形態では、割り当てられたｃ−ＲＮＴＩは、ＵＴＲＡＮ内で即ちＩｕｒインターフェイスにおいて識別子として使用され、これにより、その目的で新たな識別子は必要とされない。このような実施形態では、ｃ−ＲＮＴＩは、ＳＲＮＣからＣＲＮＣへのメッセージにおいてＵＥの識別子として使用され、そしてｓ−ＲＮＴＩは、ＣＲＮＣからＳＲＮＣへのメッセージにおいてＵＥの識別子として使用される。又、その目的専用の異なる識別子（ドリフトＲＮＴＩ、即ちｄ−ＲＮＴＩ）が使用されてもよい。
【００２０】
本発明の更に別の効果的な実施形態では、ｃ−ＲＮＴＩは、ＲＲＣメッセージにおいてＵＥに指示される。この実施形態は、公知技術について上述した４つの手順のようなＲＲＣ手順によりＵＥがＤＣＨ状態からＲＡＣＨ／ＦＡＣＨ状態へ移行する場合に、ＵＥにｃ−ＲＮＴＩの情報を供給するための解決策を与える。
ＤＣＨ状態では、ＩｕｒインターフェイスにおいてＵＥを識別するのに使用されるＩＤ、即ちｃ−ＲＮＴＩ又はｄ−ＲＮＴＩは、ＣＲＮＣによって制御される第１無線リンクがアクティブセットに追加されるときに、ＣＲＮＣにより割り当てられる。ｃ−ＲＮＴＩ／ｄ−ＲＮＴＩは、ＲＮＳＡＰ無線リンク設定応答メッセージと共にＳＲＮＣにシグナリングされる。これとは逆に、無線リンクがアクティブセットから除去されるときには、ＳＲＮＣが、ｃ−ＲＮＴＩ／ｄ−ＲＮＴＩを解除すべきかどうかをＲＮＳＡＰ無線リンク削除メッセージにおいてＣＲＮＣに指示する。ｃ−ＲＮＴＩ／ｄ−ＲＮＴＩは、除去されるべき無線リンクがこのＣＲＮＣにより制御される最後のリンクであるである場合に、解除されねばならない。ｃ−ＲＮＴＩは、無線リンク追加中に割り当てられるので、ＵＥの状態変化を生じるＲＲＣ手順が開始されるときには、ＳＲＮＣがｃ−ＲＮＴＩを既に知っている。
【００２１】
本発明の効果的な実施形態では、ＳＲＮＣは、状態変化を開始するＲＲＣメッセージＸＸＸ＿ＣＯＭＭＡＮＤにパラメータとしてｃ−ＲＮＴＩをアタッチすることができる。ここで、ＸＸＸは、特定の当該ＲＲＣ手順を意味する。
上述した手順は、アクティブセットの全てのセルが同じＣＲＮＣによって制御され、即ち１つのｃ−ＲＮＴＩのみがＵＥに対応し、そしてＵＥがそれらのセルからＲＡＣＨ／ＦＡＣＨ状態に使用されるべきセルを選択することに限定される場合に、効果的に使用することができる。アクティブセットのセルが２つ以上のＣＲＮＣの制御下にあり、そしてＵＥが、ＲＡＣＨ／ＦＡＣＨ状態にどのセルを使用すべきか最終的に判断することが許される場合には、状態が更に複雑になる。この場合に、ＳＲＮＣは、アクティブセットの各セルに対してｃ−ＲＮＴＩをＸＸＸ＿ＣＯＭＭＡＮＤメッセージにアタッチすることができる。
本発明の更に別の効果的な実施形態では、ＳＲＮＣは、個別の手順でｃ−ＲＮＴＩを求めるように構成される。
【００２２】
図４は、本発明の更に別の効果的な実施形態によるシグナリングを示す。図４は、ＵＥ１０と、ＣＲＮＣ３０ｂと、ＳＲＮＣ３０ａとの間のシグナリングを示す。この実施形態は、ＵＥが新たなＣＲＮＣを用いてＣＣＣＨ又はＤＣＣＨ手順を開始する状態において、ｃ−ＲＮＴＩの情報をＳＲＮＣ及びＵＥに供給する解決策を与える。この実施形態では、ＣＣＣＨ又はＤＣＣＨ手順は、例えば、セル更新、ＵＲＡ更新、ＲＲＣ接続再確立又はページング応答手順である。
第１ステップ３００では、ＵＥがＣＣＣＨ又はＤＣＣＨメッセージをＣＲＮＣに送信する。このようなメッセージは、例えば、「セル更新」メッセージ、「ＵＲＡ更新」メッセージ、「ＲＲＣ接続再確立」メッセージ、又は「ページング応答」メッセージである。ＣＲＮＣは、ＵＥが分からないことに気付き、それ故、ＵＥに対するｃ−ＲＮＴＩ識別子を割り当てる（３１０）。次いで、ＣＲＮＣは、ＲＮＳＡＰメッセージ（例えば、「アップリンクシグナリング転送指示」）においてＩｕｒインターフェイスを経てＳＲＮＣにメッセージを転送し（３２０）、割り当てられたｃ−ＲＮＴＩをパラメータとしてメッセージにアタッチする。次のステップ３３０では、ＳＲＮＣは、当該手順に関連した処理を遂行する。例えば、「ＵＲＡ更新」手順の場合には、ステップ３３０において、ＳＲＮＣは、ＳＲＮＣリロケーションを実行すべきかどうか判断し、そして必要に応じてリロケーションを実行する。最終的に、ＳＲＮＣは、ＣＣＣＨ応答メッセージ（例えば、「ダウンリンクシグナリング転送要求」メッセージ）をＣＲＮＣへ送信する（３４０）ことによりＵＥに応答するようにＣＲＮＣに命令し、そしてＣＲＮＣは、ステップ３００で送信されたＵＥのオリジナルメッセージに対応する「確認」メッセージをＵＥに送信する（３５０）。本発明の別の実施形態では、ｃ−ＲＮＴＩを含むメッセージが、Ｉｕｒインターフェイスにおいて通常のメッセージ転送メカニズムを用いてＳＲＮＣからＵＥへ直接送信される。
【００２３】
図５は、本発明の更に別の効果的な実施形態によるシグナリングを示す。図５は、ＵＥ１０と、ＣＲＮＣ３０ｂと、ＳＲＮＣ３０ａとの間のシグナリングを示す。この実施形態では、ＳＲＮＣは、ｃ−ＲＮＴＩを解除すべきかどうかＣＲＮＣに指示する。これは、ＲＮＳＡＰメッセージに１つの付加的なパラメータを含ませることにより達成される。このようなパラメータは、例えば、ＵＥコンテキスト及びそれに割り当てられたリソースを解除しなければならないかどうか指示するためのＲＮＴＩ解除指示子である。ＳＲＮＣは、ＲＲＣメッセージをＵＥに転送するのに使用されるＲＮＳＡＰメッセージを使用することにより、これを行う。このようなメッセージは、例えば、「ダウンリンクシグナリング転送要求」メッセージである。図５の例では、「ＵＲＡ更新」手順に関連して例示される。
【００２４】
第１ステップ４００では、ＵＥが「ＵＲＡ更新」メッセージをＵＴＲＡＮへ送信する。ＣＲＮＣは、ＵＥが分からないことに気付き、それ故、ＵＥに対するｃ−ＲＮＴＩ識別子を割り当てる（４１０）。次いで、ＣＲＮＣは、ＵＥから受信したメッセージをＲＮＳＡＰメッセージ「ＣＣＣＨ指示」（又は「アップリンクシグナリング転送指示」）においてＩｕｒインターフェイスを経てＳＲＮＣへ転送し（４２０）、割り当てられたｃ−ＲＮＴＩをパラメータとしてＲＮＳＡＰメッセージにアタッチする。次のステップ４３０において、ＳＲＮＣは、当該手順に関連した処理を実行し、即ち図５の例では、ＳＲＮＣリロケーションを実行すべきかどうかの判断を実行する。この例では、ＳＲＮＣリロケーションが必要とされない。次いで、ＳＲＮＣは、「ＣＣＣＨ応答」メッセージをＣＲＮＣに送信する（４４０）ことによりＵＥに応答するようにＣＲＮＣに命令する。ＳＲＮＣは、ｃ−ＲＮＴＩを解除しなければならない指示をＲＮＳＡＰメッセージにアタッチする。これは、ＲＡＣＨ／ＰＣＨ状態において、セル更新を行う前にＵＥがｃ−ＲＮＴＩを使用できず、従って、ｃ−ＲＮＴＩを割り当て状態に保持することが不必要であるので、効果的である。その結果、ＣＲＮＣは、ｃ−ＲＮＴＩを解除し（４５０）、そしてステップ４００で送信されたＵＥのオリジナルメッセージに対応する「確認」メッセージをＵＥに送信する（４６０）。本発明の他の実施形態では、「確認」メッセージは、Ｉｕｒインターフェイスにおいて通常のメッセージ転送メカニズムを使用してＳＲＮＣからＵＥへ直接送信することができない。
【００２５】
本発明は、ＵＥとネットワークとの間、特に、ＲＡＣＨ及びＦＡＣＨチャンネルにおけるシグナリングの量を減少する。又、本発明は、ネットワークのＩｕｒインターフェイスにおけるシグナリングも減少する。更に、本発明は、メッセージの量が減少されるので、ＵＥ及びネットワークにおける処理量も減少する。これは、ＵＥに関して非常に重要である。というのは、無線インターフェイスを経て送られるメッセージが、典型的なバッテリ作動の移動ハンドセットにおける重要なリソースであるエネルギーを消費するからである。
本発明は、ＵＭＴＳ（ユニバーサル移動テレコミュニケーションシステム）やＩＭＴ２０００セルラーシステムのような第３世代のセルラーシステムに効果的に適用することができる。
【００２６】
無線ネットワークコントローラのような所与の機能的エンティティの名前は、異なるセルラーテレコミュニケーションシステムに関してしばしば異なる。例えば、ＧＳＭシステムでは、無線ネットワークコントローラ（ＲＮＣ）に対応する機能的エンティティは、ベースステーションコントローラ（ＢＳＣ）である。それ故、本明細書における「無線ネットワークコントローラ」という用語は、特定のセルラーテレコミュニケーションシステムのエンティティに対して使用される用語に関わりなく全ての対応する機能的エンティティをカバーするものとする。更に、「パケットページング要求」、「ＣＣＣＨ指示」及び本明細書で述べた他のメッセージ名は、一例に過ぎず、本発明は、本明細書で述べたメッセージ名を使用することに限定されるものではない。
【００２７】
上記例では、ＵＥとＵＴＲＡＮとの間のＲＲＣメッセージは、ＣＲＮＣのＵＴＲＡＮ側に着信する。しかしながら、これは、本発明を何ら限定するものではない。というのは、ＲＲＣメッセージは、ＳＲＮＣに着信するようにも構成できるからである。この場合に、ＣＲＮＣは、ＲＲＣメッセージを単純に転送する。更に、上記例は、ＣＲＮＣ及びＳＲＮＣが個別のネットワーク要素であるとして示した。しかしながら、本発明は、１つのＲＮＣしかＵＥの接続に関与しないときの基本的なケースにも適用できる。このケースでは、ＳＲＮＣ及びＣＲＮＣが同じネットワーク要素であり、Ｉｕｒインターフェイスシグナリングは、ＲＮＣの内部手順に過ぎない。
【００２８】
「移動ステーション」という用語は、特許請求の範囲では、ＵＥ又はそれに対応する移動通信手段を表すのに使用される。特許請求の範囲では、「一時的移動ステーション識別子」という用語は、無線ネットワークコントローラにより割り当てられて使用されるｃ−ＲＮＴＩ又はそれに対応する一時的識別子を指す。
以上の説明から、本発明の範囲内で種々の変更がなされ得ることが当業者に明らかであろう。本発明の好ましい実施形態を詳細に述べたが、特許請求の範囲に規定された本発明の精神及び範囲内で多数の変更及び修正がなされ得ることが明らかである。
【図面の簡単な説明】
【図１】  公知のセルラーネットワーク構造を示す図である。
【図２】  本発明の効果的な実施形態によるシグナリングを示す図である。
【図３】  本発明の別の効果的な実施形態によるシグナリングを示す図である。
【図４】  本発明の更に別の効果的な実施形態によるシグナリングを示す図である。
【図５】  本発明の更に別の効果的な実施形態によるシグナリングを示す図である。
【図１】
0003742300.tif 000002
【図２】
0003742300.tif 000003
【図３】
0003742300.tif 000004
【図４】
0003742300.tif 000005
【図５】
0003742300.tif 000006